(57)【要約】【課題】画像処理の性能に影響を与えず、省エネモード中のログ情報を保存することができる情報処理装置を提供する。【解決手段】画像形成装置は、画像形成装置のログ情報を取得する手段と、前記画像形成装置の消費電力を削減する省エネモードへの移行と前記省エネモードからの復帰を制御する省エネモード制御手段と、前記省エネモードへの移行又は前記省エネモードからの復帰に応じて前記ログ情報の保存先を切替える書込み先制御手段と、を有する。【選択図】図３
2014204380.tif 000002
【特許請求の範囲】
【請求項１】
画像形成装置のログ情報を取得する手段と、
前記画像形成装置の消費電力を削減する省エネモードへの移行と前記省エネモードからの復帰を制御する省エネモード制御手段と、
前記省エネモードへの移行又は前記省エネモードからの復帰に応じて前記ログ情報の保存先を切替える書込み先制御手段と、
を有する画像形成装置。
【請求項２】
前記ログ情報を保存するサーバ装置と通信する手段を有し、
前記書込み先制御手段は、前記省エネモードへの移行に応じて前記ログ情報の保存先を前記サーバ装置に切替える請求項１に記載の画像形成装置。
【請求項３】
ストレージ手段を有し、
前記書込み先制御手段は、前記省エネモードからの復帰に応じて前記ログ情報の保存先を前記ストレージ手段に切替える請求項１又は２に記載の画像形成装置。
【請求項４】
前記省エネモード制御手段は、前記省エネモードにおいて、前記ストレージ手段への電力の供給を停止させる請求項３に記載の画像形成装置。
【請求項５】
画像形成装置の消費電力を削減する省エネモードへの移行に応じてログ情報の保存先をサーバ装置に切替えるステップと、
前記省エネモードからの復帰に応じて前記ログ情報の保存先をストレージ手段に切替えるステップと、
を有する画像形成装置の制御方法。
【発明の詳細な説明】
【技術分野】
【０００１】
本発明は、画像形成装置及び制御方法に関する。
【背景技術】
【０００２】
プリンタ、コピー、ファクシミリ、スキャナ等の機能を備えた画像形成装置において、ジョブログやアクセスログ等のログ情報を、内部のハードディスクやネットワーク上のサーバ等に自動的に保存する技術が知られている。
【０００３】
特許文献１には、ネットワークを介して接続されたログ収集サーバへログ情報を転送する画像処理装置において、ログ転送によるネットワーク負荷の要因に応じて、外部のログ収集サーバへのログ転送方法を変更する画像処理装置が開示されている。
【発明の概要】
【発明が解決しようとする課題】
【０００４】
ログ情報を内部のハードディスクに保存する技術では、省エネモード等でハードディスクへの電源供給が停止すると、ログ情報を保存できない。
【０００５】
一方、特許文献１のように、ログ情報をネットワーク上のサーバに保存する技術では、画像処理用のデータを受信中にログ情報をサーバ装置に転送する場合等、ネットワークの競合等により、画像処理の性能に影響を与えることがある。
本発明の実施の形態は、上記問題点を鑑みてなされたものであって、画像処理の性能に影響を与えず、省エネモード中のログ情報を保存することができる画像形成装置を提供することを目的とする。
【課題を解決するための手段】
【０００６】
上記課題を解決するため、一実施の形態に係る画像形成装置は、画像形成装置のログ情報を取得する手段と、前記画像形成装置の消費電力を削減する省エネモードへの移行と前記省エネモードからの復帰を制御する省エネモード制御手段と、前記省エネモードへの移行又は前記省エネモードからの復帰に応じて前記ログ情報の保存先を切替える書込み先制御手段と、を有する。
【発明の効果】
【０００７】
本実施の形態によれば、画像処理の性能に影響を与えず、省エネモード中のログ情報を保存することができる情報処理装置を提供することができる。
【図面の簡単な説明】
【０００８】
【図１】一実施形態に係る画像形成装置の構成図である。
【図２】一実施形態に係る画像形成装置のハードウェア構成図である。
【図３】一実施形態に係る画像形成装置の機能構成図である。
【図４】一実施形態に係る省エネモードへの移行時のシーケンスチャートである。
【図５】一実施形態に係る省エネモードからの復帰時のシーケンスチャートである。
【発明を実施するための形態】
【０００９】
以下に、本発明の実施の形態について、添付の図面を参照して説明する。
【００１０】
＜システム構成＞
図１は、一実施形態に係る画像形成装置１００の構成を示す図である。画像形成装置１００は、ソフトウェア群１０１と、起動部１０２と、ハードウェア資源１０３とを有する。
【００１１】
ハードウェア資源１０３は、スキャナ１２４、白黒レーザプリンタ（以下、白黒ＬＰと称す）１２５、カラーレーザプリンタ（以下、カラーＬＰと称す）１２６及びその他のハードウェアリソース１２３を含む。
【００１２】
起動部１０２は、画像形成装置１００の電源投入時に最初に起動され、アプリケーション層１０４及びプラットフォーム層１０５を起動する。例えば起動部１０２は、アプリケーション層１０４及びプラットフォーム層１０５のプログラムを、後述するハードディスク装置等から読み出し、読み出した各プログラムをメモリ領域に転送して起動する。
【００１３】
ソフトウェア群１０１は、ＵＮＩＸ（登録商標）等のオペレーティングシステム（以下、ＯＳと称す）上に起動されているアプリケーション層１０４とプラットフォーム層１０５とを含む。
【００１４】
アプリケーション層１０４は、プリンタアプリ１０８と、コピーアプリ１０９と、ファックスアプリ１１０と、スキャナアプリ１１１と、ログ転送モジュール１１２を含む。プリンタアプリ１０８は、プリンタ用のアプリケーションである。コピーアプリ１０９はコピー用のアプリケーションである。ファックスアプリ１１０はファックス用のアプリケーションである。スキャナアプリ１１１は、スキャナ用のアプリケーションである。また、ログ転送モジュール１１２は、ログ転送用のアプリケーションである。
【００１５】
また、プラットフォーム層１０５は、アプリケーション層１０４からの処理要求を解釈してハードウェア資源１０３の獲得要求を発生するコントロールサービス層１０６と、1つ以上のハードウェア資源１０３の管理を行ってコントロールサービス層１０６からの獲得要求を調停するシステムリソースマネージャ（以下、ＳＲＭと称す）１２９と、ＳＲＭ１２９からの獲得要求に応じてハードウェア資源１０３の管理を行うハンドラ層１０７とを含む。
【００１６】
コントロールサービス層１０６は、一つ以上のサービスモジュールを含むように構成されている。
【００１７】
尚、プラットフォーム層１０５は、予め定義されている関数により、アプリケーション層１０４からの処理要求を受信可能にするアプリケーションプログラミングインタフェース（以下、ＡＰＩ称す）１２８を有する。オペレーティングシステム（以下、ＯＳと称す）は、アプリケーション層１０４及びプラットフォーム層１０５の各ソフトウェアをプロセスとして並列実行する。
【００１８】
ＣＣＳ（Certificate Control Service）１１３のプロセスは、画像形成装置１００を使用するためのユーザ認証を行う。
【００１９】
ＬＣＳ（Log Control Service）１１４のプロセスは、他のコントロールサービスやアプリケーション等の他のイベント発生モジュールから受信したイベントに応じてログ情報を生成し、そのログ情報を管理する。ログ情報は、画像形成装置１００の処理や操作の記録であり、画像形成装置１００にログインやネットワークによるアクセスがあったことを示すアクセスログや、画像形成装置１００で発生したジョブの履歴を示すジョブログ等がある。
【００２０】
ＮＣＳ（Network Control Service）１１５のプロセスは、ネットワーク入出力を必要とするアプリケーションに対して共通に利用できるサービスを提供するものである。ＮＣＳ１１５は、ネットワーク側から各プロトコルによって入手したデータを各アプリケーションに振り分けを行い、また、各アプリケーションからのデータをネットワーク側に送信する際の仲介を行う。ＮＣＳ１１５は、ネットワークを介して接続されるネットワーク機器と、例えばＨＴＴＰ（Hyper Text Transfer Protocol）やＦＴＰ（File Transfer Protocol）のプロトコルを使ってデータの送受信を行う。
【００２１】
ＤＣＳ（Delivery Control Service）１１６のプロセスは、蓄積文書の配信等の制御を行う。
【００２２】
ＯＣＳ（Operation panel Control Service）１１７のプロセスは、オペレータと本体制御との間の情報伝達手段となるオペレーションパネルの制御を行う。
【００２３】
ＦＣＳ（FAX Control Service）１１８のプロセスは、アプリケーション層１０４からＰＳＴＮ等を利用したファックス送受信、バックアップ用のメモリで管理されている各種ファックスデータの登録／引用、ファックス読み取り、ファックス受信印刷等を行うためのＡＰＩを提供する。
【００２４】
ＥＣＳ（Engine Control Service）１１９のプロセスは、スキャナ１２４、白黒レーザプリンタ（白黒ＬＰ）１２５、カラーレーザプリンタ（カラーＬＰ）１２６、その他のハードウェアリソース１２３等の、エンジン部２１３の制御を行う。
【００２５】
ＭＣＳ（Memory Control Service）１２０のプロセスは、メモリの取得及び開放、ハードディスク装置の利用等のメモリ制御を行う。
【００２６】
ＵＣＳ（User information Control Service）１２１のプロセスは、ユーザ情報の管理を行う。
【００２７】
ＳＣＳ（System Control Service）１２２のプロセスは、アプリケーション管理、操作部制御、システム画面表示、ＬＥＤ表示、ハードウェア資源管理、割り込みアプリケーション制御等の処理を行う。
【００２８】
ＳＲＭ（System Resources Manager）１２９のプロセスは、スキャナ１２４、白黒ＬＰ１２５やカラーＬＰ１２６等のハードウェア資源１０３を含むリソースを利用する上位層からの獲得要求に従って調停を行い、実行制御する。具体的には、ＳＲＭ１２９のプロセスは、リソースが利用可能であるか（他の獲得要求により利用されていないかどうか）を判定し、利用可能であれば獲得要求されたリソース利用可能である旨を上位層に通知する。また、ＳＲＭ１２９のプロセスは、上位層からの獲得要求に対してリソースを利用するためのスケジューリングを行い、要求内容（例えば、プリンタエンジンによる紙搬送と作像要求、メモリ確保、ファイル生成等）を直接実施している。
【００２９】
また、ハンドラ層１０７は、後述するＦＣＵ(Fax Control Unit)の管理を行うＦＣＵＨ（Fax Control Unit Handler）１３０と、プロセスに対するメモリの割り振り及びプロセスに割り振ったメモリの管理を行うＩＭＨ（Image Memory Handler）１３１とを含む。ＳＲＭ１２９及びＦＣＵＨ１３０は、予め定義されている関数によりハードウェア資源１０３に対する処理要求を送信可能とするエンジンインタフェース（以下、エンジンＩ／Ｆと称す）１２７を利用して、ハードウェア資源１０３に対する処理要求を行う。
【００３０】
上記構成において、例えば、ＮＣＳ１１５を介してネットワークから印刷データを受信すると、プリンタアプリ１０８は、プリンタエンジンである白黒ＬＰ１２５又はカラーＬＰ１２６を用いて、受信した印刷データを印刷することができる。
【００３１】
また、スキャナアプリ１１１は、スキャナエンジンであるスキャナ１２４から読込んだ画像データを、ＮＣＳ１１５を介して、ネットワーク上のサーバ等に指定されたファイル形式で転送することができる。
【００３２】
上記のようなネットワークを利用した画像処理を行なっている間に、例えば、ログ転送モジュール１１２が、ＬＣＳ１１４から受信したログ情報を、ＮＣＳ１１５を介してネットワーク上のサーバに送信すると、上記画像処理の性能に影響を与えることがある。例えば、ＮＣＳ１１５がログ情報をサーバに送信すると、ログ情報を送信している期間は上記印刷データを受信できないので、印刷データの受信速度が遅くなり、印刷データが出力されるまでの時間が長くなる場合がある。また、同様に、上記画像データの送信速度が遅くなり、ネットワーク上のサーバ等にデータを保存するまでの時間が長くなる場合がある。従って、画像処理中は、ログ情報をネットワークに送信しないことが望ましい。
【００３３】
尚、図１では、画像形成装置１００として、複合機の一例を示したが、画像形成装置１００は、プリンタ、スキャナ等、ネットワークを利用して画像処理を行う各種機器を含む。
【００３４】
＜ハードウェア構成＞
図２は、画像形成装置１００の一実施の形態におけるハードウェア構成図を示している。画像形成装置１００は、コントローラボード２００と、オペレーションパネル２０９と、ＦＣＵ２１０と、エンジン部２１３とを含む。エンジン部２１３は、例えば、図１のスキャナ１２４、白黒ＬＰ１２５、カラーＬＰ１２６等を含む。
【００３５】
また、コントローラボード２００は、ＣＰＵ２０１と、ＡＳＩＣ２０６と、ハードディスク装置（以下、ＨＤＤと称す）２０８と、システムメモリ２０２と、ローカルメモリ２０７と、ノースブリッジ（以下、ＮＢと称す）２０３と、サウスブリッジ（以下、ＳＢと称す）２０４と、ＮＩＣ２１４（Network Interface Card）と、ＵＳＢインタフェース２１１と、ＩＥＥＥ１３９４インタフェース２１２と、セントロニクスインタフェース２１５とを含む。
【００３６】
オペレーションパネル２０９は、コントローラボード２００のＡＳＩＣ２０６に接続されている。また、ＳＢ２０４と、ＮＩＣ２１４と、ＵＳＢインタフェース２１１と、ＩＥＥＥ１３９４インタフェース２１２と、セントロニクスインタフェース２１５は、ＮＢ２０３にＰＣＩバスで接続されている。また、ＦＣＵ２１０と、エンジン部２１３は、コントローラボード２００のＡＳＩＣ２０６にＰＣＩバスで接続されている。
【００３７】
尚、コントローラボード２００は、ＡＳＩＣ２０６にローカルメモリ２０７、ＨＤＤ２０８等が接続されると共に、ＣＰＵ２０１とＡＳＩＣ２０６とがＣＰＵチップセットのＮＢ２０３を介して接続されている。このように、ＮＢ２０３を介してＣＰＵ２０１とＡＳＩＣ２０６とを接続すれば、ＣＰＵ２０１のインタフェースが公開されていない場合に対応できる。
【００３８】
また、ＡＳＩＣ２０６とＮＢ２０３とは、ＰＣＩバスを介して接続されているのではなく、ＡＧＰ（Accelerated Graphic Port）２０５を介して接続されている。このように、図１のアプリケーション層１０４やプラットフォーム層１０５を形成する一つ以上のプロセスを実行制御するため、ＡＳＩＣ２０６とＮＢ２０３とを低速のＰＣＩバスではなく、ＡＧＰ２０５を介して接続し、パフォーマンスの低下を防いでいる。
【００３９】
ＣＰＵ２０１は、画像形成装置１００の全体制御を行うものである。ＣＰＵ２０１は、ＣＣＳ１１３、ＬＣＳ１１４、ＮＣＳ１１５、ＤＣＳ１１６、ＯＣＳ１１７、ＦＣＳ１１８、ＥＣＳ１１９、ＭＣＳ１２０、ＵＣＳ１２１、ＳＣＳ１２２、ＳＲＭ１２９、ＦＣＵＨ１３０、ＩＭＨ１３１をＯＳ上にそれぞれプロセスとして起動して実行させる。さらに、アプリケーション層１０４を形成するプリンタアプリ１０８、コピーアプリ１０９、ファックスアプリ１１０、スキャナアプリ１１１、ログ転送モジュール１１２を同様に起動して実行させる。
【００４０】
ＮＢ２０３は、ＣＰＵ２０１、システムメモリ２０２、ＳＢ２０４及びＡＳＩＣ２０６を接続するためのブリッジである。システムメモリ２０２は、画像形成装置１００の描画用メモリ等として用いるメモリである。ＳＢ２０４は、ＮＢ２０３とＰＣＩバス、周辺デバイスとを接続するためのブリッジである。また、ローカルメモリ２０７は、コピー用画像バッファ、符号バッファとして用いるメモリである。システムメモリ２０２又はローカルメモリ２０７は、以下の説明で、単にメモリ、又は記憶領域と表現する場合がある。
【００４１】
ＡＳＩＣ２０６は、画像処理用のハードウェア要素を有する画像処理用途向けのＩＣである。ＨＤＤ２０８は、画像の蓄積、プログラムの蓄積、フォントデータの蓄積、フォームの蓄積等を行うためのストレージである。また、オペレーションパネル２０９は、ユーザからの入力操作を受け付けると共に、ユーザに向けた表示を行う操作部である。
【００４２】
＜機能構成＞
図３は、一実施形態に係る画像形成装置１００の機能構成を示す図である。画像形成装置１００は、ログ管理手段３０１、書込み先制御手段３０２、省エネモード制御手段３０３、通信手段３０４、ストレージ手段３０５、電源制御手段３０６を有する。
【００４３】
ログ管理手段３０１は、各アプリケーションやシステムのログを収集する手段で、例えば、ＬＣＳ１１４等を含む。
【００４４】
省エネモード制御手段３０３は、画像形成装置１００の消費電力を削減する省エネモードへの移行及び省エネモードからの復帰を制御する手段で、例えば、ＳＣＳ１２２等を含む。尚、本実施形態では、省エネモード制御手段３０３は、省エネモード時に、少なくともＨＤＤ２０８への電力の供給を停止させて、画像形成装置１００の消費電力の削減を行う。
【００４５】
通信手段３０４は、ネットワーク３０７を介してサーバ装置３０８と通信を行う手段で、例えば、ＮＣＳ１１５等を含む。通信手段３０４は、サーバ装置３０８の通信手段３０９と例えば、ＦＴＰ等のプロトコルを使ってログ情報を転送し、サーバ装置３０８のストレージ手段３１０にログ情報を保存する。
【００４６】
ストレージ手段３０５は、各種データやプログラム等を蓄積する手段で、例えば、ＨＤＤ２０８等を含む。尚、ＨＤＤ２０８は、ストレージ手段３０５の一例であって、ストレージ手段３０５は、電源の供給が停止してもデータが消えない各種記憶装置を含む。ストレージ手段３０５は、例えば、ＳＳＤ（Solid State Drive）や、ブルーレイ、ＤＶＤ等のディスク装置や、ＵＳＢインタフェース２１１やＩＥＥＥ１３９４インタフェース２１２等に接続された外部記憶装置又は外部記憶媒体を含む。
【００４７】
書込み先制御手段３０２は、ログ管理手段３０１が収集したログ情報の保存先を、ストレージ手段３０５又はサーバ装置３０８に切替える手段で、例えば、ログ転送モジュール１１２等を含む。
【００４８】
書込み先制御手段３０２は、省エネモード制御手段３０３から省エネモード移行通知を受信すると、ログ情報の保存先をストレージ手段３０５からサーバ装置３０８に切替える。従って、画像形成装置１００は、省エネモード中のログ情報をストレージ手段３０５には保存せず、サーバ装置３０８に保存する。そのため、画像形成装置１００は、省エネモード中にＨＤＤ２０８等のストレージ手段３０５への電源の供給が停止しても、ログ情報を保存することができる。
【００４９】
また、書込み先制御手段３０２は、省エネモード制御手段３０３から通常モード復帰通知を受信すると、ログ情報の保存先をストレージ手段３０５に切替える。従って、画像形成装置１００は、省エネモードから復帰すると、ログ情報をサーバ装置３０８には保存せずに、ストレージ手段３０５に保存する。そのため、ログ情報はネットワーク３０７に送信されないので、前述した、ネットワークを利用した画像処理の処理時間に影響を与えない。
【００５０】
電源制御手段３０６は、省エネモード制御手段３０３からの要求に応じて、ストレージ手段３０５への電力の供給を制御する手段で、例えば、ＭＣＳ１２０等を含む。或いは、電源制御手段３０６は、ハードウェアで構成されていても良いし、ＨＤＤ２０８等のストレージ手段に組み込まれていても良い。本実施の形態では、電源制御手段３０６は、省エネモードのときにＨＤＤ２０８への電力の供給を停止する。
【００５１】
尚、上記構成は一例であって、本発明の範囲を制限するものではない。例えば、省エネモード制御手段３０３について、ＳＣＳ１２２に含まれるとしたが、他のサービスやアプリケーションに含まれても良いし、別に新たなサービスやアプリケーションを設けても良い。ログ管理手段３０１、書込み先制御手段３０２手段等についても同様である。
【００５２】
ここで、画像形成装置１００の省エネモードについて説明する。画像形成装置１００は、例えば、ユーザの操作に従って、画像形成装置１００の少なくとも１つ以上のユニットへの電力の供給を停止させ、消費電力を削減する省エネモードへの移行が可能である。電力供給を停止させるユニットの組み合わせは、システムの構成やシステムの要求に応じて任意の組み合わせであって良い。本実施の形態では、省エネモードにおいて、少なくともＨＤＤ２０８への電力の供給を停止する。そのため、省エネモードでは、ＨＤＤ２０８へのデータの書き込みはできなくなるが、サーバ装置３０８へのデータの書き込みは可能である。画像形成装置１００は、ユーザ操作以外にも、システム設定等により、待機状態で一定時間（例えば、５分以上）経過した場合や、一定時間帯（深夜等）になった場合に、省エネモードに移行するものであっても良い。
【００５３】
また、省エネモード中の画像形成装置１００は、ユーザの操作等により、通常モードに復帰することができる。通常モードでは、ＨＤＤ２０８への電力の供給が行われ、すぐに画像処理等の動作が可能である。
【００５４】
以上、上記構成により、画像形成装置１００が省エネモードに移行するとログ情報の保存先がサーバ装置３０８に切り替わり、省エネモードから通常モードに復帰するとログ情報の保存先がストレージ手段３０５に切り替わる。従って、画像形成装置１００は、省エネモードのログ情報をサーバ装置３０８に保存可能であり、通常モードではログ情報をストレージ手段３０５に保存するので画像処理の性能に影響を与えない。
【００５５】
次に、図４に、省エネモードへの移行時のシーケンスチャートを示す。尚、図４では、ストレージ手段３０５及び電源制御手段３０６を合わせて、「ストレージ手段／電源制御手段」として表記している。また、画像形成装置１００は、シーケンスチャートの開始時に通常モードであるものとする。
【００５６】
ログ管理手段３０１は、取得したログ情報を書込み先制御手段３０２へ送信する（ステップＳ４０１）。ログ情報を送信するタイミングは、所定間隔で定期的に送信しても良いし、所定の事象に応じて逐次送信しても良い。ログ情報を受信した書込み先制御手段３０２は、通常モードの場合、ストレージ手段３０５に受信したログ情報を保存する（ステップＳ４０２）。
【００５７】
次に、例えば、ユーザの操作等により、省エネモードへの移行事由が発生すると（ステップＳ４０３）、省エネモード制御手段３０３は、書込み先制御手段３０２に省エネモードへの移行を通知する省エネモード移行通知を送信する（ステップＳ４０４）。書込み先制御手段３０２は、省エネモード移行通知を受信すると、ログ情報の保存先をサーバ装置３０８に切替え（ステップＳ４０５）、省エネモード制御手段３０３に省エネモード移行応答を送信する。
【００５８】
省エネモード制御手段３０３は、省エネモード移行応答を受信すると、電源制御手段３０６に電源ＯＦＦ通知を送信する（ステップＳ４０７）。電源ＯＦＦ通知を受信した電源制御手段３０６は、ストレージ手段３０５への電力の供給を停止し（ステップＳ４０８）、省エネモード制御手段３０３に電源ＯＦＦ応答を送信する（ステップＳ４０９）。
【００５９】
書込み先制御手段３０２は、ステップＳ４０５以降にログ情報を受信すると（ステップＳ４１０）、通信手段３０４を介してサーバ装置３０８にログ情報を保存する（ステップＳ４１１）。
【００６０】
次に、図５に省エネモードからの復帰時のシーケンスチャートを示す。尚、図５においても、ストレージ手段３０５及び電源制御手段３０６を合わせて、「ストレージ手段／電源制御手段」として表記している。
【００６１】
ユーザの操作等により、省エネモードからの復帰事由が発生すると（ステップＳ５０１）、省エネモード制御手段３０３は、電源制御手段３０６に電源ＯＮ通知を送信する（ステップＳ５０２）。電源ＯＮ通知を受信した電源制御手段３０６は、ストレージ手段３０５への電力の供給を開始し（ステップＳ５０３）、省エネモード制御手段３０３に電源ＯＮ応答を送信する（ステップＳ５０４）。
【００６２】
電源ＯＮ応答を受信した省エネモード制御手段３０３は、書込み先制御手段３０２に通常モード復帰通知を送信する（ステップＳ５０５）。通常モード復帰通知を受信した書込み先制御手段３０２は、ログ情報の保存先をストレージ手段３０５に切替え（ステップＳ５０６）、省エネモード制御手段３０３に通常モード復帰応答を送信する（ステップＳ５０７）。
【００６３】
書込み先制御手段３０２は、ステップＳ５０５以降にログ情報を受信すると（ステップＳ５０８）、ログ情報をストレージ手段３０５に保存する（ステップＳ５０９）。
【００６４】
尚、上記図４及び図５に示したシーケンスチャートは一例であって、本発明の範囲を限定するものではない。例えば、省エネモード移行応答（Ｓ４０６）、電源ＯＦＦ応答（Ｓ４０９）、電源ＯＮ応答（Ｓ５０４）、通常モード復帰応答（Ｓ５０７）等の応答メッセージは必要に応じて、その一部又は全部を省略しても良い。また、電源ＯＦＦ通知（Ｓ４０７）や通常モード復帰通知（Ｓ５０５）を、上記応答メッセージを待たずに送信しても良い。
【００６５】
以上、本実施の形態によれば、画像処理でネットワークを利用する可能性がある通常モード時にはストレージ手段３０５にログ情報を保存し、画像処理を行わない省エネモード時にはネットワークを介して接続されたサーバ装置３０８にログ情報を保存する。
【００６６】
そのため、画像処理の性能に影響を与えず、省エネモード中のログ情報を保存することができる。
【符号の説明】
【００６７】
３０１    ログ管理手段
３０２    書込み先制御手段
３０３    省エネモード制御手段
３０４    通信手段
３０５    ストレージ手段
【先行技術文献】
【特許文献】
【００６８】
【特許文献１】特開２００８−０７１０８５号公報
【図１】
2014204380.tif 000003
【図２】
2014204380.tif 000004
【図３】
2014204380.tif 000005
【図４】
2014204380.tif 000006
【図５】
2014204380.tif 000007